(57)【要約】【課題】  本発明の目的とするところは、３Ｄディスプレイ装置とＵＳＢとを接続して充電したり、無接点方式を用いて無線充電する３Ｄメガネ、３Ｄディスプレイ装置および３Ｄメガネの充電システムを提供することにある。【解決手段】  ３Ｄメガネ、３Ｄディスプレイ装置および３Ｄメガネの充電システムが提供される。本３Ｄディスプレイ装置と連動する３Ｄメガネは、３Ｄディスプレイ装置と接続され、電圧を入力されるインターフェース部と、３Ｄメガネの電源を供給するバッテリー部と、インターフェース部から入力された電源を変圧し、変圧された電圧を用いて前記バッテリー部を充電する充電部とを含む。従って、３Ｄメガネを充電する際に別途の充電装置を必要としないため、３Ｄメガネの充電時にユーザの便宜性が増す。【選択図】図７
2011229377.tif 000002
【特許請求の範囲】
【請求項１】
３Ｄディスプレイ装置と連動する３Ｄメガネの充電システムにおいて、
前記３Ｄメガネの電源を充電する電圧を無線で供給する３Ｄディスプレイ装置と、
無接点充電方式を用いて前記３Ｄディスプレイ装置から無線で供給された電圧を用いて電源を充電する３Ｄメガネと、
を含む３Ｄメガネの充電システム。
【請求項２】
前記３Ｄメガネは、
前記ディスプレイ装置の１次コイルに磁気的に結合されて誘導起電力を発生させる２次コイルと、
前記発生した誘導起電力を直流に整流する整流器と、
前記保存された直流の電圧を一定に維持できるように調整する電圧調整部と、
を含むことを特徴とする請求項１に記載の３Ｄメガネの充電システム。
【請求項３】
前記２次コイルは前記３Ｄメガネのメガネフレームに位置することを特徴とする請求項２に記載の３Ｄメガネの充電システム。
【請求項４】
前記３Ｄディスプレイ装置は、
前記３Ｄメガネの２次コイルに磁気的に結合されて誘導起電力を発生させる１次コイルを含むことを特徴とする請求項２に記載の３Ｄメガネの充電システム。
【請求項５】
前記１次コイルは、
３Ｄディスプレイ装置の前面、裏面、側面、下面のうちいずれか一面に位置することを特徴とする請求項４に記載の３Ｄメガネの充電システム。
【請求項６】
前記３Ｄディスプレイ装置は、
前記１次コイルが位置した地点に配置され、前記３Ｄメガネを掛けるためのメガネ掛け部を更に含み、
前記３Ｄメガネは、
前記メガネ掛け部に掛けられた時、前記１次コイルと前記２次コイルとが磁気的に結合されて発生した誘導起電力を用いて電源を充電することを特徴とする請求項５に記載の３Ｄメガネの充電システム。
【請求項７】
前記１次コイルは、
前記３Ｄディスプレイ装置の下面に位置し、
前記３Ｄメガネは、
前記下面に位置した１次コイルから特定距離内に置かれている時、前記３Ｄディスプレイ装置から無線で供給された電圧を用いて電源を充電することを特徴とする請求項５に記載の３Ｄメガネの充電システム。
【請求項８】
前記１次コイルは、
前記３Ｄディスプレイ装置をサポートする支持台に位置し、
前記３Ｄメガネは、
前記支持台に位置した１次コイルから特定距離内に置かれている時、前記３Ｄディスプレイ装置から無線で供給された電圧を用いて電源を充電することを特徴とする請求項５に記載の３Ｄメガネの充電システム。
【請求項９】
前記３Ｄディスプレイ装置と接続され、前記接続された３Ｄディスプレイ装置から印加された電圧を用いて前記３Ｄメガネの電源を充電する電圧を無線で供給するクレイドル（ｃｒａｄｌｅ）を更に含み、
前記３Ｄメガネは、
無接点充電方式を用いて前記クレイドルから無線で供給された電圧を用いて電源を充電することを特徴とする請求項１に記載の３Ｄメガネの充電システム。
【請求項１０】
前記クレイドルは、
前記３Ｄメガネに含まれた２次コイルに磁気的に結合されて誘導起電力を発生させる１次コイルを含むことを特徴とする請求項９に記載の３Ｄメガネの充電システム。
【請求項１１】
前記クレイドルは３Ｄメガネを入れておける形態であり、
前記３Ｄメガネは、
前記クレイドルに入れられている時、前記クレイドルから無線で供給された電圧を用いて電源を充電することを特徴とする請求項９に記載の３Ｄメガネの充電システム。
【請求項１２】
前記クレイドルは、
前記３Ｄディスプレイ装置から電圧を印加されるＵＳＢインターフェース部を更に含み、
前記ＵＳＢインターフェース部を介して印加された電圧を用いて前記３Ｄメガネの電圧を無線で充電することを特徴とする請求項９に記載の３Ｄメガネの充電システム。
【発明の詳細な説明】
【技術分野】
【０００１】
本発明は、３Ｄメガネ、３Ｄディスプレイ装置および３Ｄメガネの充電システムに関し、より詳細には、左眼映像と右眼映像とを交互に表示する方式の３Ｄ映像を視聴するための３Ｄメガネ、３Ｄディスプレイ装置および３Ｄメガネの充電システムに関する。
【背景技術】
【０００２】
３Ｄ立体映像技術は、情報通信、放送、医療、教育、訓練、軍事、ゲーム、アニメーション、仮想現実、ＣＡＤ、産業技術等、その応用分野が非常に多様であり、このような様々な分野で共通して必要とされる次世代の３Ｄ立体マルチメディア情報通信のコア基盤技術といえる。
【０００３】
一般的に、人間が知覚する立体感は、観察しようとする物体の位置による水晶体の厚さの変化度合い、両眼と対象物との角度の差、そして左右眼に見える対象物の位置および形の相違、対象物の運動によって生じる時差、その他に各種心理および記憶による効果等が複合的に作用して生じる。
【０００４】
その中でも、人の両眼が横方向に約６〜７ｃｍ程離れていることで生じる両眼時差(ｂｉｎｏｃｕｌａｒ  ｄｉｓｐａｒｉｔｙ)は、立体感において最も重要な要因といえる。即ち、両眼時差によって対象物に対する角度の差が生じたままモノを見るようになり、この差によってそれぞれの眼に入ってくるイメージが相互に異なる像を持つようになって、この二つの映像が網膜を通じて脳へと伝達されると、脳はこの二つの情報を正確に融合して本来の３Ｄ立体映像を感じることができるのである。
【０００５】
３Ｄ映像のディスプレイ装置としては、特殊眼鏡を使う眼鏡式と、特殊眼鏡を使わない非眼鏡式に分けられる。眼鏡式は、相互補色関係にある色フィルターを用いて映像を分離選択する色フィルター方式、直交した偏光素子の組み合わせによる遮光効果を用いて左眼と右眼との映像を分離する偏光フィルター方式および左眼映像信号と右眼映像信号とをスクリーンに投射する同期信号に対応して左眼と右眼とを交互に遮断することで、立体感が感じられるようにするシャッターグラス方式が存在する。
【０００６】
一方、ユーザが眼鏡式方式を用いた３Ｄ映像を視聴するためには、ユーザは３Ｄ眼鏡を着用しなければならない。即ち、眼鏡式方式を用いた３Ｄ映像を視聴するうえで、３Ｄ眼鏡は必須の構成となる。
【０００７】
このような３Ｄメガネを充電するためには、従来には使い捨てバッテリーを挿入したり、別途の充電装置で３Ｄメガネを充電しなければならなかった。従って、使い捨てバッテリーを挿入する場合、毎回バッテリーを取り替えなければならならず、費用もかかるという不都合があった。なお、別途の充電装置を用いて３Ｄメガネを充電する場合、３Ｄメガネを充電するために別途の充電装置を備えなければならないという不都合があった。
【０００８】
従って、ユーザがより便利に３Ｄ映像を充電できる方策が求められている。
【先行技術文献】
【特許文献】
【０００９】
【特許文献１】米国特開第２００５−１１６８８１号公報
【特許文献２】韓国特開第２００３−００６５６３６号公報
【特許文献３】米国特開第５、６９９、１３３号公報
【特許文献４】日本特開第１９９８−０９３９９４号公報
【発明の概要】
【発明が解決しようとする課題】
【００１０】
本発明は、上記問題を解決するために案出されたものであり、本発明の目的とするところは、３Ｄディスプレイ装置とＵＳＢとを接続して充電したり、無接点方式を用いて無線充電する３Ｄメガネ、３Ｄディスプレイ装置および３Ｄメガネの充電システムを提供することにある。
【課題を解決するための手段】
【００１１】
前記目的を達成するための本発明の一実施形態に係る３Ｄディスプレイ装置と連動する３Ｄメガネは、前記３Ｄディスプレイ装置と接続され、電源を提供されるインターフェース部と、前記３Ｄメガネの電源を供給するバッテリー部と、前記インターフェース部から入力された電源を用いて前記バッテリー部を充電する充電部とを含む。
【００１２】
そして、前記インターフェース部はＵＳＢインターフェース部であることが望ましい。
【００１３】
一方、前記目的を達成するための本発明の一実施形態に係る３Ｄメガネと連動する３Ｄディスプレイ装置は、電力を供給する電源供給部と、前記３Ｄメガネと接続可能であり、前記３Ｄメガネに接続されると、前記電力を用いて前記３Ｄメガネの充電電圧を印加するインターフェース部とを含む。
【００１４】
そして、前記インターフェース部はＵＳＢインターフェース部であることが望ましい。
【００１５】
一方、前記目的を達成するための本発明の一実施形態に係る複数の３Ｄメガネと連動する３Ｄディスプレイ装置は、電力を供給する電源供給部と、前記複数の３Ｄメガネにそれぞれ接続され、前記電源供給部から供給された電力を用いて前記接続された３Ｄメガネの充電電圧を印加する複数のインターフェース部とを含む。
【００１６】
そして、前記複数のインターフェース部はＵＳＢインターフェース部であることが望ましい。
【００１７】
一方、前記目的を達成するための本発明の一実施形態に係る３Ｄディスプレイ装置と連動する少なくとも一つの３Ｄメガネの充電システムは、３Ｄディスプレイ装置と、前記３Ｄディスプレイ装置と前記ＵＳＢケーブルで接続され、前記ＵＳＢケーブルを通じて供給された前記充電電圧を用いて電源を充電する少なくとも一つの３Ｄメガネとを含む。
【００１８】
一方、前記目的を達成するための本発明の一実施形態に係る３Ｄディスプレイ装置と連動する３Ｄメガネの充電システムは、前記３Ｄメガネの電源を充電する電圧を無線で供給する３Ｄディスプレイ装置と、無接点充電方式を用いて前記３Ｄディスプレイ装置から無線で供給された電圧を用いて電源を充電する３Ｄメガネとを含む。
【００１９】
そして、前記３Ｄメガネは、前記ディスプレイ装置の１次コイルに磁気的に結合されて誘導起電力を発生させる２次コイルと、前記発生した誘導起電力を直流に整流する整流器と、前記保存された直流の電圧を一定に維持できるように調整する電圧調整部とを含むことが望ましい。
【００２０】
なお、前記２次コイルは前記３Ｄメガネのメガネフレームに位置することが望ましい。
【００２１】
そして、前記３Ｄディスプレイ装置は、前記３Ｄメガネの２次コイルに磁気的に結合されて誘導起電力を発生させる１次コイルを含むことが望ましい。
【００２２】
なお、前記１次コイルは、３Ｄディスプレイ装置の前面、裏面、側面、下面のうちいずれか一面に位置することが望ましい。
【００２３】
そして、前記３Ｄディスプレイ装置は、前記１次コイルが位置した地点に配置され、前記３Ｄメガネを掛けるためのメガネ掛け部を更に含み、前記３Ｄメガネは、前記メガネ掛け部に掛けられた時、前記１次コイルと前記２次コイルとが磁気的に結合されて発生した誘導起電力を用いて電源を充電することが望ましい。
【００２４】
なお、前記１次コイルは、前記３Ｄディスプレイ装置の下面に位置し、前記３Ｄメガネは、前記下面に位置した１次コイルから特定距離内に置かれている時、前記３Ｄディスプレイ装置から無線で供給された電圧を用いて電源を充電することが望ましい。
【００２５】
一方、前記目的を達成するための本発明の一実施形態に係る３Ｄディスプレイ装置と連動する３Ｄメガネの充電システムは、前記３Ｄディスプレイ装置と接続され、前記接続された３Ｄディスプレイ装置から印加された電圧を用いて前記３Ｄメガネの電源を充電する電圧を無線で供給するクレイドル（ｃｒａｄｌｅ）と、無接点充電方式を通じて前記クレイドルから無線で供給された電圧を用いて電源を充電する３Ｄメガネとを含む。
【００２６】
そして、前記クレイドルは、前記３Ｄメガネに含まれた２次コイルに磁気的に結合されて誘導起電力を発生させる１次コイルを含むことが望ましい。
【００２７】
なお、前記クレイドルは３Ｄメガネを入れておける形態であり、前記３Ｄメガネは、前記クレイドルに入れられている時、前記クレイドルから無線で供給された電圧を用いて電源を充電することが望ましい。
【００２８】
そして、前記クレイドルは、前記３Ｄディスプレイ装置から電圧を印加されるＵＳＢインターフェース部を更に含み、前記ＵＳＢインターフェース部を介して印加された電圧を用いて前記３Ｄメガネの電圧を無線で充電することが望ましい。
【発明の効果】
【００２９】
上述の本発明の多様な実施形態によると、３Ｄメガネを充電する際に別途の充電装置を必要としないため、３Ｄメガネの充電時にユーザの便宜性が増す。
【図面の簡単な説明】
【００３０】
【図１】本発明の一実施形態に係る３Ｄメガネの充電システムを示す図である。
【図２】本発明の一実施形態に係るＵＳＢ充電方式による３ＤＴＶのブロック図を示す図である。
【図３】本発明の一実施形態に係るＵＳＢ充電方式による３Ｄメガネのブロック図を示す図である。
【図４】本発明の一実施形態に係る無接点充電方式による３Ｄメガネの充電システムを示す図である。
【図５】本発明の一実施形態に係る無接点充電方式による３ＤＴＶのブロック図を示す図である。
【図６】本発明の一実施形態に係る無接点充電方式による３Ｄメガネのブロック図を示す図である。
【図７】本発明の一実施形態に係る無接点充電方式による３Ｄメガネの充電部の回路図を示す図である。
【図８】本発明の一実施形態に係る無接点充電方式による３Ｄメガネのコイルを示す図である。
【図９Ａ】本発明の一実施形態に係る無接点充電方式による３Ｄメガネの充電システムの構造を示す図である。
【図９Ｂ】本発明の一実施形態に係る無接点充電方式による３Ｄメガネの充電システムの構造を示す図である。
【図１０Ａ】本発明の一実施形態に係る充電用クレイドルを含む３Ｄメガネの充電システムの構造を示す図である。
【図１０Ｂ】本発明の一実施形態に係る充電用クレイドルを含む３Ｄメガネの充電システムの構造を示す図である。
【発明を実施するための形態】
【００３１】
以下に添付図面を参照しながら、本発明をより詳細に説明する。
【００３２】
図１は、本発明の一実施形態に係る３Ｄメガネの充電システム１００を示す図である。図１に示すように、３Ｄメガネ１２０の無線充電システムは、３Ｄメガネを充電するために電力を供給する３ＤＴＶ１１０および３ＤＴＶ１１０から供給された電力を用いて電源を充電する複数個の３Ｄメガネ１２０−１、１２０−２、…、１２０−ｎで構成される。
【００３３】
３ＤＴＶ１１０はディスプレイ装置の一種として、カメラなどの撮影装置から受信された３Ｄ映像またはカメラによって撮影されて放送局で編集／加工された後、放送局から送出された３Ｄ映像を受信し、受信された３Ｄ映像を処理した後、それを画面に表示する。特に、３ＤＴＶ１１０は３Ｄ映像のフォーマットを参照し、左眼映像と右眼映像とを加工し、加工された左眼映像と右眼映像とが時分割されて交互に表示されるようにする。なお、３ＤＴＶ１１０は、左眼映像と右眼映像とが時分割されて表示されるタイミングと同期した同期信号を生成して３Ｄメガネ２００に伝達する。
【００３４】
３Ｄメガネ１２０は、３ＤＴＶ１１０から受信された同期信号に従って、左眼グラスと右眼グラスとを交互に開閉し、ユーザが左眼と右眼とを通じて左眼映像及び右眼映像をそれぞれ視聴できるようにする。
【００３５】
一方、本発明の一実施形態に係る３Ｄメガネの充電システムは、３ＤＴＶ１１０と複数個の３Ｄメガネ１２０−１、１２０−２、…、１２０−ｎをＵＳＢケーブルで接続する。接続されたＵＳＢケーブルを通じて、３ＤＴＶ１１０は複数個の３Ｄメガネ１２０−１、１２０−２、…、１２０−ｎに電力を供給する。複数個の３Ｄメガネ１２０−１、１２０−２、…、１２０−ｎは供給された電力を用いて電源を充電する。
【００３６】
以下では、ＵＳＢケーブルを用いて３Ｄメガネ１２０を充電するための方法について説明するために、図２ないし図３を参照する。図２は本発明の一実施形態に係る３ＤＴＶ１１０のブロック図を示す図である。
【００３７】
図２に示すように、本実施形態に係る３ＤＴＶ１１０は、機能部１１１と、電源部１１２と、複数個のＵＳＢインターフェース部１１３−１、１１３−２、…、１１３−ｎおよび制御部１１４を含む。
【００３８】
機能部１１１は、３ＤＴＶ１１０の一般的な機能を行なう。具体的に、機能部１１１は、外部から３Ｄ放送コンテンツを受信されて３Ｄ放送コンテンツ再生機能を行なう。具体的に、機能部１１１は、地上波、ケーブルおよび衛星などの放送網を通じて放送サーバから伝送される放送信号をチューニングし、チューニングされた放送信号に対して復調および誤り訂正などを行なって出力する。なお、機能部１１１は、復調した放送信号をビデオデータ、オーディオデータおよび各種の付加データに分離した後、各データをデコーディングする。特に、３Ｄ映像が入力された場合、機能部１１１は３Ｄ映像のビデオデータを左眼映像と右眼映像とに分離して処理する。そして、機能部１１１は、処理された左眼映像と右眼映像とを交互に出力し、映像に同期を取ってオーディオデータも出力する。
【００３９】
電源部１１２は、後述の制御部１１４の制御により３ＤＴＶ１１０の各構成に電源を提供する。特に、３Ｄメガネ１２０を充電するために、電源部１１２は後述のＵＳＢインターフェース部１１３に電力を供給する。一般的に、家庭用の３ＤＴＶ１１０の場合、２２０Ｖの交流電源が供給されるが、電源部１１２はＵＳＢを通じて３Ｄメガネ１２０を充電するために、電源部１１２は５Ｖ直流電源に変更して供給する。
【００４０】
ＵＳＢインターフェース部１１３は、ＵＳＢケーブルを通じて外部の端末機器と接続されて電源を供給したり、データを相互に交換する。特に、ＵＳＢインターフェース部１１３は、３Ｄメガネ１２０と接続されて３Ｄメガネ１２０の充電電圧を供給する。このとき、ＵＳＢインターフェース部１１３は一つの３ＤＴＶ１１０に複数の３Ｄメガネ１２０−１、１２０−２、…、１２０−ｎを充電するために、複数個のＵＳＢインターフェース部１１３−１、１１３−２、…、１１３−ｎが備えられることができる。
【００４１】
具体的に、ＵＳＢを通じての接続は、一対の電源端子５Ｖ、ＧＮＤと一対のデータ端子Ｄ＋、Ｄ−で構成されている。このとき、３ＤＴＶ１１０と３Ｄメガネ１２０のＵＳＢケーブルによる充電は、一対の電源端子５Ｖ、ＧＮＤによって行なわれる。即ち、３Ｄメガネ１２０がＵＳＢケーブルを通じて３ＤＴＶ１１０と接続されると、３ＤＴＶ１１０は５Ｖの端子を介して３Ｄメガネ１２０に電源を供給する。
【００４２】
制御部１１４は、ユーザ操作部（図示せず）から伝達されたユーザ命令に従って３ＤＴＶ１１０の全般的な動作を制御する。
【００４３】
特に、制御部１１４は、電源部１１２および複数個のＵＳＢインターフェース部１１３−１、１１３−２、…、１１３−ｎを制御し、３ＤＴＶ１１０が３Ｄメガネ１２０を充電できるようにする。
【００４４】
なお、３ＤＴＶ１１０がＵＳＢケーブルを通じて３Ｄメガネ１２０を充電しているとしたら、制御部１１４は３Ｄメガネ１２０が充電されているという状態を示すＧＵＩを生成するように制御できる。
【００４５】
一方、図２では、ＵＳＢを通じて電源を供給する実施形態について示しているが、これは一実施形態に過ぎず、ＵＳＢ以外のインターフェースを通じても電源供給が可能であることは自明である。
【００４６】
一方、図３は、本発明の一実施形態に係る３Ｄメガネ１２０のブロック図を示す図である。図３に示すように、本３Ｄメガネ１２０は、ＩＲ受信部１２１と、制御部１２２と、ＵＳＢインターフェース部１２３と、充電部１２４と、バッテリー部１２５と、駆動部１２６およびグラス部１２７を含む。
【００４７】
ＩＲ受信部１２１は、３ＤＴＶ１１０のメガネ信号送受信部（図示せず）から３Ｄ映像に対する同期信号を受信する。特に、メガネ信号送受信部は直進性をもつ赤外線を用いて同期信号を放射し、ＩＲ受信部１２１は放射された赤外線から同期信号を受信する。例えば、メガネ信号送受信部からＩＲ受信部１２１に伝達される同期信号は、６０Ｈｚの周波数をもつ赤外線信号である。
【００４８】
ＵＳＢインターフェース部１２３は、上述の３ＤＴＶ１１０のＵＳＢインターフェース部１１３とＵＳＢケーブルで接続され、３Ｄメガネ１２０の電源を充電する。
【００４９】
３Ｄメガネ１２０のＵＳＢインターフェース部１２３は、ＵＳＢケーブルを通じて３ＤＴＶ１１０と一対の電源端子５Ｖ、ＧＮＤに接続される。ＵＳＢインターフェース部１２３は電源端子のうちの５Ｖ端子を介して、３ＤＴＶ１１０から充電電圧を印加されて充電部１２４に印加する。
【００５０】
充電部１２４は、ＵＳＢインターフェース部１２３から印加された充電電圧を後述のバッテリー部１２５に充電できるように、電圧を整流したり変圧を行なう。
【００５１】
バッテリー部１２５は、制御部１２２の制御により３Ｄメガネ１２０の構成に電源を供給する。特に、バッテリー部１２５は上述の充電方法により充電された電源を用いて３Ｄメガネ１２０に電源を供給する。このとき、バッテリー部１２５は充電用のバッテリーまたはスーパーキャパシタの形態で実現できる。
【００５２】
駆動部１２６は、制御部１２２から受信された制御信号に基づいて駆動信号を制御する。特に、グラス部１２７は左眼クラス及び右眼グラスで構成されるため、駆動部１２６は左眼グラスを駆動させるための左眼グラス駆動信号と、右眼グラスを駆動させるための右眼グラス駆動信号とをそれぞれ生成し、生成された左眼グラス駆動信号を左眼グラスに伝達して右眼グラス駆動信号を右眼グラスに伝達する。
【００５３】
グラス部１２７は上述のように、左眼グラス及び右眼グラスで構成され、駆動部１２６から受信された駆動信号に従って、それぞれのグラスを開閉する。
【００５４】
制御部１２２は、３Ｄメガネ１２０の全般的な動作を制御する。特に、制御部１２２はＩＲ受信部１２１から受信された出力信号に基づいて制御信号を生成し、生成された制御信号を駆動部１２６に伝達して駆動部１２６を制御する。
【００５５】
なお、制御部１２２は、上述の方法により充電された電源を３Ｄメガネ１２０の構成に供給するようにバッテリー部１２５を制御する。
【００５６】
上述の方法により、３ＤＴＶ１１０が複数個の３Ｄメガネ１２０−１、１２０−２、…、１２０−ｎを充電すると、別途の充電装置が不要であるだけでなく、同時に複数個の３Ｄメガネ１２０−１、１２０−２、…、１２０−ｎを充電できるようになる。
【００５７】
以下では、図４ないし図１０Ｂを参照し、無接点充電方式を用いた３Ｄメガネの無線充電方法について説明する。
【００５８】
図４は、本発明の一実施形態に係る無接点充電方式による３Ｄメガネの充電システムを示す図である。図４に示すように、３Ｄメガネの充電システムは３ＤＴＶ４１０と３Ｄメガネ４２０とを含む。
【００５９】
図４に示すように、３Ｄメガネ４２０が３ＤＴＶ４１０から特定距離内にあれば、３Ｄメガネ４２０は無接点充電方式を通じて３ＤＴＶ４１０から電源を供給されて充電する。ここで、無接点充電方式とは、並んで対向する２つの金属コイル間に生じる電磁誘導作用によってバッテリーを充電する方式である。無接点充電方式については、図７を参照して後述する。
【００６０】
図５は、本発明の一実施形態に係る無接点充電方式による３ＤＴＶ４１０のブロック図を示す図である。図５に示すように、３ＤＴＶ４１０は、機能部４１１と、電源部４１２と、無線充電部４１３及び制御部４１４を含む。
【００６１】
図５に示される機能部４１１と、電源部４１２及び制御部４１４に対する説明は、図２に示される機能部１１１と、電源部１１２及び制御部１１４に対する説明と同様であるため省略する。
【００６２】
無線充電部４１３は、電源部４１２から供給された電源を用いて３Ｄメガネ４２０を無線充電する。このとき、無線充電部４１３は無接点充電方式を使うため、電磁気誘導のための１次コイル（送信コイル）を含む。電源部４１２により供給された電圧を１次コイルに印加し、電磁気誘導により３ＤＴＶ４１０の電源を３Ｄメガネ４２０に供給する。
【００６３】
このとき、無線充電部４１３に含まれた１次コイルは、３ＤＴＶ４１０の前面、裏面、側面のうちいずれか一面に位置する。特に、３Ｄメガネ４２０を掛けることのできるメガネ掛け部がある場合、メガネ掛け部の設置されたところに１次コイルが位置できる。
【００６４】
なお、１次コイルは３ＤＴＶ４１０の下面または支持台に位置することができる。このとき、３Ｄメガネ４２０が１次コイルの位置した３ＤＴＶ４１０の下面に置かれると、３Ｄメガネ４２０は無接点充電方式により充電が行なわれる。
【００６５】
図６は、本発明の一実施形態に係る３Ｄメガネ４２０のブロック図を示す図である。図６に示すように、本３Ｄメガネ４２０は、ＩＲ受信部４２１と、制御部４２２と、無線充電部４２３と、バッテリー部４２４と、駆動部４２５およびグラス部４２６を含む。
【００６６】
図６に示されるＩＲ受信部４２１と、制御部４２２と、バッテリー部４２４と、駆動部４２５およびグラス部４２６に対する説明は、図３に示されるＩＲ受信部１２１と、制御部１２２と、バッテリー部１２５と、駆動部１２６およびグラス部１２７に対する説明と同様であるため省略する。
【００６７】
上述の３ＤＴＶ４１０の無線充電部４１３の１次コイルと、３Ｄメガネ４２０の無線充電部４２３に含まれた２次コイルとに電磁気誘導現象が生じて電流が発生し、無線充電部４２３は発生した電流を用いてバッテリー部４２４を充電する。
【００６８】
無線充電部４２３に対する具体的な説明は図７を参照して説明する。図７は、本発明の一実施形態に係る無線充電部４２３を簡略に示した図である。
【００６９】
図７に示すように、３ＤＴＶ４１０は、電源部４１２および１次コイル４１３−１を含む。電源部４１２は１次コイル４１３−１に正弦波の電源を供給して１次コイル４１３−１に電気が流れるようにする。１次コイル４１３−１に電気が流れることにより、１次コイル４１３−１の周囲には磁場が生成する。
【００７０】
３ＤＴＶ４１０と無線充電するための３Ｄメガネ４２０の無線充電部４２３は、２次コイル４２３−１と、整流器４２３−２および電圧調整器４２３−３を含む。
【００７１】
２次コイル４２３−１が上述の１次コイル４１３−１から発生する磁場の近くに位置すると、２次コイル４２３−１には電磁気誘導により電気が流れるようになる。即ち、１次コイル４１３−１と２次コイル４２３−１とが磁気的に結合されて２次コイル４２３−１に誘導起電力が発生する。このとき、２次コイル４２３−１は図８に示すように、３Ｄメガネ４２０のメガネフレームに位置することができる。
【００７２】
上述の方法により生成された誘導起電力は、整流器４２３−２によりＤＣに整流される。このとき、整流器４２３−２はブリッジダイオードの形態をもつ４つのダイオードとフィルタリングの役割を担うキャパシタで構成されてよい。無論、上述の形態の整流器４２３−２だけでなく、別の形態の整流回路も本発明に適用できる。なお、電圧調整器４２３−３は整流されたＤＣ電圧を一定電圧に維持できるように調整する。
【００７３】
上述の過程を経て、一定の電圧に調整されたＤＣ電圧はバッテリー部４２４に印加される。従って、バッテリー部４２４は上述の充電方法により充電された電圧を用いて３Ｄメガネ４２０の構成に電源を供給する。
【００７４】
上述の方法により３Ｄメガネ４２０をケーブル無しでも無線で充電することにより、３Ｄメガネ４２０の充電時にユーザの便宜性が増す。
【００７５】
図９Ａおよび図９Ｂは、本発明の一実施形態に係る無接点充電方式による３Ｄメガネの充電システムの構造を示す図である。
【００７６】
具体的に、図９Ａは、３Ｄメガネ４２０が３ＤＴＶ４１０の一部分に位置したメガネ掛け台４３０に掛けられることにより、３Ｄメガネ４２０が充電されることについて説明するための図である。図９Ａに示すように、３Ｄメガネの充電システムは３ＤＴＶ４１０と、３Ｄメガネ４２０およびメガネ掛け台４３０を含む。特に、メガネ掛け台４３０は、３ＤＴＶ４１０の右側下段の角部分に位置している。
【００７７】
このとき、無接点充電方式による３Ｄメガネ４２０の充電のために、１次コイル４１３−１は、メガネ掛け台４３０の位置した３ＤＴＶ４１０の右側下段の角部分に位置する。従って、３Ｄメガネ４２０がメガネ掛け台４３０に掛けられると、１次コイル４１３−１と３Ｄメガネの２次コイル４２３−１とが互いに隣接するため、電磁気誘導現象が生じるようになる。従って、電磁気誘導現象が生じることにより、３Ｄメガネ４２０は３ＤＴＶ４１０の電源を用いて充電が可能となる。
【００７８】
このとき、メガネ掛け台４３０と１次コイル４１３−１とは、３ＤＴＶ４１０の右側下段に位置するものとして想定したが、これに一実施形態に過ぎず、右側上段、左側下段、左側上段、裏面などにも位置できる。
【００７９】
図９Ｂは、３Ｄメガネ４２０が３ＤＴＶ４１０の下段に置かれることにより、３Ｄメガネ４２０が充電されることについて説明するための図である。図９Ｂに示すように、３Ｄメガネの充電システムは３ＤＴＶ４１０および３Ｄメガネ４２０を含む。
【００８０】
このとき、３Ｄメガネ４２０は３ＤＴＶ４１０の下段から特定距離内に位置する。ここで、特定距離とは、３ＤＴＶ４１０に含まれた１次コイル４１３−１と３Ｄメガネ４２０に含まれた２次コイル４２３−１とが電磁気誘導現象を生じさせ得る距離のことをいう。このとき、１次コイル４１３−１は３ＤＴＶ４１０の下面に位置したり３ＤＴＶ４１０をサポートする支持台４６０に位置する。３Ｄメガネ４２０が３ＤＴＶ４１０の支持台４６０或いは下面から特定距離内に位置すると、３ＤＴＶ４１０に含まれた１次コイル４１３−１と３Ｄメガネ４２０に含まれた２次コイル４２３−１とが互いに隣接するようになるため、電磁気誘導現象が生じる。従って、電磁気誘導現象が生じることにより、３Ｄメガネ４２０は３ＤＴＶ４１０の電源を用いて充電が可能となる。
【００８１】
上述の無接点方式を用いて３Ｄメガネ４２０が充電されることにより、３Ｄメガネ４２０の充電時に別途のケーブルや充電装置を必要としないため、ユーザはより容易かつ簡単に３Ｄメガネ４２０を充電できるようになる。
【００８２】
以下では、図１０Ａおよび図１０Ｂを参照して、充電用クレイドル４４０を用いた無接点充電方式の３Ｄメガネ４１０の充電システムについて説明する。
【００８３】
クレイドル４４０を用いた無接点充電方式の場合、図７で説明した電源部４１２および１次コイル４１３−１が充電用のクレイドル４４０に位置するようになる。即ち、充電用のクレイドル４４０に含まれた１次コイル４１３−１と３Ｄメガネ４２０の２次コイル４２３−１とが電磁気誘導現象を生じさせ、３Ｄメガネ４２０が充電される。このとき、３Ｄメガネ４２０が充電される方法は、図７での説明と同様であるため、詳細な説明は省略する。
【００８４】
図１０Ａは、本発明の一実施形態に係る充電用のクレイドル４４０を含む３Ｄメガネ４２０の充電システムの構造を示す図である。本実施形態に係る３Ｄメガネ４２０の充電システムは、３ＤＴＶ４１０と、３Ｄメガネ４２０および充電用のクレイドル４４０を含む。このとき、充電用のクレイドル４４０は、図１０Ａに示すように３ＤＴＶ４１０の裏面に装着されている。なお、充電用のクレイドル４４０は３ＤＴＶ４１０と電気的に接続され、３ＤＴＶ４１０から供給される電力を通じて３Ｄメガネ４２０を充電する。
【００８５】
図１０Ｂは、本発明の一実施形態に係る充電用のクレイドル４４０を含む別の実施形態の３Ｄメガネ４２０の充電システムの構造を示す図である。本実施形態に係る３Ｄメガネ４２０の充電システムは、３ＤＴＶ４１０と、３Ｄメガネ４２０と、充電用のクレイドル４４０およびケーブル４５０を含む。このとき、充電用のクレイドル４４０は、図１０Ｂに示すように、３ＤＴＶ４１０とケーブル４５０を介して接続されている。従って、充電用のクレイドル４４０は３ＤＴＶ４１０から供給される電力を通じて３Ｄメガネ４２０を充電する。このとき、ケーブル４５０はＵＳＢケーブルで実現できる。従って、充電用のクレイドル４４０が３ＤＴＶ４１０とＵＳＢケーブルを通じて接続されるために、充電用のクレイドル４４０はＵＳＢインターフェース部（図示せず）を含んでよい。
【００８６】
上述の実施形態により、３Ｄメガネ４２０を充電用のクレイドル４４０に入れておくことにより、ユーザはより簡単に３Ｄメガネ４２０を充電できるようになる。
【００８７】
以上では、３Ｄディスプレイ装置が３ＤＴＶ１１０であると想定してきたが、これは一実施形態に過ぎず、シャッターグラス方式の３Ｄ映像を表示できる３Ｄディスプレイ装置なら本発明の技術的な思想の適用が可能である。例えば、３Ｄディスプレイ装置には、３Ｄプロジェクション、３Ｄモニターで実現できる。
【００８８】
上述のように本発明の多様な実施形態によると、３Ｄメガネを充電する際に別途の充電装置を必要としないため、３Ｄメガネの充電時にユーザの便宜性が増す。
【００８９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011229377.tif 000003
【図２】
2011229377.tif 000004
【図３】
2011229377.tif 000005
【図４】
2011229377.tif 000006
【図５】
2011229377.tif 000007
【図６】
2011229377.tif 000008
【図７】
2011229377.tif 000009
【図８】
2011229377.tif 000010
【図９Ａ】
2011229377.tif 000011
【図９Ｂ】
2011229377.tif 000012
【図１０Ａ】
2011229377.tif 000013
【図１０Ｂ】
2011229377.tif 000014